(57)【要約】【課題】大口径であってフォーカス群が軽量化された小型で高性能なインナーフォーカス方式の撮像光学系，それを備えた撮像光学装置及びデジタル機器を提供する。【解決手段】撮像光学系ＬＮは、物体側から順に、正の第１レンズ群Ｇｒ１群と正の第２レンズ群Ｇｒ２を有し、第２レンズ群Ｇｒ２全体を光軸ＡＸに沿って物体側に移動させることにより、近接物体への合焦を行う。第２レンズ群Ｇｒ２内の最も物体側のレンズＬ２１が物体側に凸面を向けており、第２レンズ群内の最も像側のレンズＬ２３が像側に凸面を向けた正メニスカスレンズであり、条件式：２．２＜１Ｇｒ＿Ｆｌ／ＦＬ＜３．８，０．９＜２Ｇｒ＿Ｆｌ／ＦＬ＜１．５，０．４５＜１Ｇｒ＿Ｒ＿ｎｏｐ／１Ｇｒ＿Ｔｈｉ＜０．８５（ＦＬ：全系の焦点距離、１Ｇｒ＿Ｆｌ：第１レンズ群の焦点距離、２Ｇｒ＿Ｆｌ：第２レンズ群の焦点距離、１Ｇｒ＿Ｒ＿ｎｏｐ：第１レンズ群の最物体側面から後側主点位置までの距離、１Ｇｒ＿Ｔｈｉ：第１レンズ群の全長）を満足する。【選択図】図１
2015210413.tif 000002
【特許請求の範囲】
【請求項１】
物体側から順に、正の第１レンズ群と、正の第２レンズ群とを有し、
前記第２レンズ群全体を光軸に沿って物体側に移動させることにより、近接物体への合焦を行い、
前記第２レンズ群内の最も物体側のレンズが、物体側に凸面を向けており、
前記第２レンズ群内の最も像側のレンズが、像側に凸面を向けた正メニスカスレンズであり、
以下の条件式（１）〜（３）を満足することを特徴とする撮像光学系；
２．２＜１Ｇｒ＿Ｆｌ／ＦＬ＜３．８  …（１）
０．９＜２Ｇｒ＿Ｆｌ／ＦＬ＜１．５  …（２）
０．４５＜１Ｇｒ＿Ｒ＿ｎｏｐ／１Ｇｒ＿Ｔｈｉ＜０．８５  …（３）
ただし、
ＦＬ：全系の焦点距離、
１Ｇｒ＿Ｆｌ：第１レンズ群の焦点距離、
２Ｇｒ＿Ｆｌ：第２レンズ群の焦点距離、
１Ｇｒ＿Ｒ＿ｎｏｐ：第１レンズ群の最物体側面から後側主点位置までの距離、
１Ｇｒ＿Ｔｈｉ：第１レンズ群の全長、
である。
【請求項２】
前記第２レンズ群内の最も物体側のレンズが正のパワーを有することを特徴とする請求項１記載の撮像光学系。
【請求項３】
以下の条件式（４）を満足することを特徴とする請求項１又は２記載の撮像光学系；
０．７＜２Ｇｒ＿Ｒ＿Ｆｌ／２Ｇｒ＿Ｆｌ＜２．５  …（４）
ただし、
２Ｇｒ＿Ｒ＿Ｆｌ：第２レンズ群内の最も像側に配置された正レンズの焦点距離、
である。
【請求項４】
前記第２レンズ群内の最も像側に配置された正レンズが非球面形状を有することを特徴とする請求項１〜３のいずれか１項に記載の撮像光学系。
【請求項５】
前記第１レンズ群内に絞りを有することを特徴とする請求項１〜４のいずれか１項に記載の撮像光学系。
【請求項６】
前記第１レンズ群内の最も像側に配置されたレンズが、像面に対して凸面を向けていることを特徴とする請求項１〜５のいずれか１項に記載の撮像光学系。
【請求項７】
以下の条件式（５）を満足することを特徴とする請求項３〜６のいずれか１項に記載の撮像光学系；
Ｗ＿２Ｇｒ＜２５  …（５）
ただし、
Ｗ＿２Ｇｒ：第２レンズ群を構成するレンズ要素の合計重量（ｇ）、
である。
【請求項８】
撮像素子の撮像面上に被写体の光学像を形成するための撮像光学系であって、前記撮像面の画面サイズの対角線長が２ｙ＿ｍａｘであり、以下の条件式（４）を満足することを特徴とする請求項３〜７のいずれか１項に記載の撮像光学系；
２０＜ａｒｃｔａｎ（ｙ＿ｍａｘ／ＦＬ）＜２５  …（６）
ただし、
ｙ＿ｍａｘ：最大像高、
ＦＬ：全系の焦点距離、
である。
【請求項９】
請求項１〜８のいずれか１項に記載の撮像光学系と、撮像面上に形成された光学像を電気的な信号に変換する撮像素子と、を備え、前記撮像素子の撮像面上に被写体の光学像が形成されるように前記撮像光学系が設けられていることを特徴とする撮像光学装置。
【請求項１０】
請求項９記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像光学系，撮像光学装置及びデジタル機器に関するものである。例えば、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで大口径・インナーフォーカス方式の撮像光学系と、その撮像光学系及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
近年、一眼レフカメラから跳ね上げミラーを取り除いたミラーレスレンズ交換式カメラのコンパクト性がユーザーに受け入れられて、その市場が拡大しつつある。そのようなミラーレスレンズ交換式カメラのなかには、従来の一眼レフカメラにおいて主流であった位相差ＡＦ(autofocus)を用いることができないものも存在する。そのようなカメラでは、フォーカス群（合焦群）を走査してコントラストが最大になる場所を探すことで合焦を行う、いわゆるコントラストＡＦを用いることになる。
【０００３】
そこで課題となるのが、フォーカス群の重量である。位相差ＡＦの場合、ＡＦセンサーからの情報を用い、合焦させるのに必要なフォーカス群の移動量を算出できるため、その量にしたがってフォーカス群を移動させることができる。一方、コントラストＡＦの場合、ＡＦセンサーから得られる情報はその瞬間のコントラスト値のみであり、フォーカス群を移動させて、その時々のコントラストの変化を読み取りながら、コントラストが最大となる場所を探すことで合焦動作を行うことになる。したがって、合焦までに移動するフォーカス群の移動量をコントラストＡＦと位相差ＡＦとで比較した場合、前者の場合が圧倒的に大きくなる。
【０００４】
以上の点から、コントラストＡＦに対応しようとする撮像光学系においては、フォーカス群の軽量化が大きなポイントとなる（例えば、特許文献１，２参照。）。
【先行技術文献】
【特許文献】
【０００５】
【特許文献１】特開２０１３−１８２０２４号公報
【特許文献２】特開２０１３−１８６４５８号公報
【発明の概要】
【発明が解決しようとする課題】
【０００６】
上記特許文献１に記載されている撮像光学系は、正正の２群構成を有し、合焦時に第２レンズ群を物体側に繰り出す構成になっている。しかしながら、第２レンズ群内に正負正正の４枚のレンズを含む構成となっているため、コントラストＡＦを実施するためには、軽量化が不十分である。特許文献２に記載されている光学系も同様であり、第１レンズ群と第２レンズ群との間に絞りが位置する正正の２群構成を有し、合焦時に第２レンズ群を物体側に繰り出す構成になっている。しかしながら、第２レンズ群内に重量の大きいレンズを含んでいるため、コントラストＡＦを実施するためには、軽量化が不十分である。
【０００７】
本発明はこのような状況に鑑みてなされたものであって、その目的は、大口径であってフォーカス群が軽量化された小型で高性能なインナーフォーカス方式の撮像光学系，それを備えた撮像光学装置及びデジタル機器を提供することにある。
【課題を解決するための手段】
【０００８】
上記目的を達成するために、第１の発明の撮像光学系は、物体側から順に、正の第１レンズ群と、正の第２レンズ群とを有し、
前記第２レンズ群全体を光軸に沿って物体側に移動させることにより、近接物体への合焦を行い、
前記第２レンズ群内の最も物体側のレンズが、物体側に凸面を向けており、
前記第２レンズ群内の最も像側のレンズが、像側に凸面を向けた正メニスカスレンズであり、
以下の条件式（１）〜（３）を満足することを特徴とする。
２．２＜１Ｇｒ＿Ｆｌ／ＦＬ＜３．８  …（１）
０．９＜２Ｇｒ＿Ｆｌ／ＦＬ＜１．５  …（２）
０．４５＜１Ｇｒ＿Ｒ＿ｎｏｐ／１Ｇｒ＿Ｔｈｉ＜０．８５  …（３）
ただし、
ＦＬ：全系の焦点距離、
１Ｇｒ＿Ｆｌ：第１レンズ群の焦点距離、
２Ｇｒ＿Ｆｌ：第２レンズ群の焦点距離、
１Ｇｒ＿Ｒ＿ｎｏｐ：第１レンズ群の最物体側面から後側主点位置までの距離、
１Ｇｒ＿Ｔｈｉ：第１レンズ群の全長、
である。
【０００９】
第２の発明の撮像光学系は、上記第１の発明において、前記第２レンズ群内の最も物体側のレンズが正のパワーを有することを特徴とする。
【００１０】
第３の発明の撮像光学系は、上記第１又は第２の発明において、以下の条件式（４）を満足することを特徴とする。
０．７＜２Ｇｒ＿Ｒ＿Ｆｌ／２Ｇｒ＿Ｆｌ＜２．５  …（４）
ただし、
２Ｇｒ＿Ｒ＿Ｆｌ：第２レンズ群内の最も像側に配置された正レンズの焦点距離、
である。
【００１１】
第４の発明の撮像光学系は、上記第１〜第３のいずれか１つの発明において、前記第２レンズ群内の最も像側に配置された正レンズが非球面形状を有することを特徴とする。
【００１２】
第５の発明の撮像光学系は、上記第１〜第４のいずれか１つの発明において、前記第１レンズ群内に絞りを有することを特徴とする。
【００１３】
第６の発明の撮像光学系は、上記第１〜第５のいずれか１つの発明において、前記第１レンズ群内の最も像側に配置されたレンズが、像面に対して凸面を向けていることを特徴とする。
【００１４】
第７の発明の撮像光学系は、上記第３〜第６のいずれか１つの発明において、以下の条件式（５）を満足することを特徴とする。
Ｗ＿２Ｇｒ＜２５  …（５）
ただし、
Ｗ＿２Ｇｒ：第２レンズ群を構成するレンズ要素の合計重量（ｇ）、
である。
【００１５】
第８の発明の撮像光学系は、上記第３〜第７のいずれか１つの発明において、撮像素子の撮像面上に被写体の光学像を形成するための撮像光学系であって、前記撮像面の画面サイズの対角線長が２ｙ＿ｍａｘであり、以下の条件式（４）を満足することを特徴とする。
２０＜ａｒｃｔａｎ（ｙ＿ｍａｘ／ＦＬ）＜２５  …（６）
ただし、
ｙ＿ｍａｘ：最大像高、
ＦＬ：全系の焦点距離、
である。
【００１６】
第９の発明の撮像光学装置は、上記第１〜第８のいずれか１つの発明に係る撮像光学系と、撮像面上に形成された光学像を電気的な信号に変換する撮像素子と、を備え、前記撮像素子の撮像面上に被写体の光学像が形成されるように前記撮像光学系が設けられていることを特徴とする。
【００１７】
第１０の発明のデジタル機器は、上記第９の発明に係る撮像光学装置を備えることにより、被写体の静止画撮影，動画撮影のうちの少なくとも一方の機能が付加されたことを特徴とする。
【発明の効果】
【００１８】
本発明によれば、物体側から順に正正の第１，第２レンズ群を有し、無限遠から近距離への合焦時には第２レンズ群を物体側に移動させるインナーフォーカス方式の撮像光学系において、フォーカス群の軽量化等に有効な条件が適切に設定された構成になっているため、大口径であってフォーカス群が軽量化されているにもかかわらず、小型で高性能な撮像光学系及び撮像光学装置を実現することができる。例えば、フォーカス時の性能変動が抑制された大口径の標準レンズであって、フォーカス群の軽量化により効果的なコントラストＡＦへの対応が可能な撮像光学系を達成することができる。その高性能・高機能な撮像光学系又は撮像光学装置をデジタル機器（例えばデジタルカメラ）に用いることによって、デジタル機器に対して高性能の画像入力機能をコンパクトに付加することが可能となる。
【図面の簡単な説明】
【００１９】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】第５の実施の形態（実施例５）のレンズ構成図。
【図６】第６の実施の形態（実施例６）のレンズ構成図。
【図７】第７の実施の形態（実施例７）のレンズ構成図。
【図８】実施例１の縦収差図。
【図９】実施例２の縦収差図。
【図１０】実施例３の縦収差図。
【図１１】実施例４の縦収差図。
【図１２】実施例５の縦収差図。
【図１３】実施例６の縦収差図。
【図１４】実施例７の縦収差図。
【図１５】実施例１の第１フォーカスポジションでの横収差図。
【図１６】実施例１の第２フォーカスポジションでの横収差図。
【図１７】実施例２の第１フォーカスポジションでの横収差図。
【図１８】実施例２の第２フォーカスポジションでの横収差図。
【図１９】実施例３の第１フォーカスポジションでの横収差図。
【図２０】実施例３の第２フォーカスポジションでの横収差図。
【図２１】実施例４の第１フォーカスポジションでの横収差図。
【図２２】実施例４の第２フォーカスポジションでの横収差図。
【図２３】実施例５の第１フォーカスポジションでの横収差図。
【図２４】実施例５の第２フォーカスポジションでの横収差図。
【図２５】実施例６の第１フォーカスポジションでの横収差図。
【図２６】実施例６の第２フォーカスポジションでの横収差図。
【図２７】実施例７の第１フォーカスポジションでの横収差図。
【図２８】実施例７の第２フォーカスポジションでの横収差図。
【図２９】撮像光学装置を搭載したデジタル機器の概略構成例を示す模式図。
【発明を実施するための形態】
【００２０】
以下、本発明に係る撮像光学系，撮像光学装置及びデジタル機器を説明する。本発明に係る撮像光学系は、物体側から順に、正の第１レンズ群と、正の第２レンズ群とを有する構成になっている。そして、前記第２レンズ群全体を光軸に沿って物体側に移動させることにより、近接物体への合焦を行い、前記第２レンズ群内の最も物体側のレンズが、物体側に凸面を向けており、前記第２レンズ群内の最も像側のレンズが、像側に凸面を向けた正メニスカスレンズであり、以下の条件式（１）〜（３）を満足することを特徴としている。
２．２＜１Ｇｒ＿Ｆｌ／ＦＬ＜３．８  …（１）
０．９＜２Ｇｒ＿Ｆｌ／ＦＬ＜１．５  …（２）
０．４５＜１Ｇｒ＿Ｒ＿ｎｏｐ／１Ｇｒ＿Ｔｈｉ＜０．８５  …（３）
ただし、
ＦＬ：全系の焦点距離、
１Ｇｒ＿Ｆｌ：第１レンズ群の焦点距離、
２Ｇｒ＿Ｆｌ：第２レンズ群の焦点距離、
１Ｇｒ＿Ｒ＿ｎｏｐ：第１レンズ群の最物体側面から後側主点位置までの距離、
１Ｇｒ＿Ｔｈｉ：第１レンズ群の全長、
である。
【００２１】
撮像光学系全体を繰り出して合焦を行う全体繰り出し方式と比較すると、正のパワー（パワー：焦点距離の逆数で定義される量）を有する第２レンズ群をフォーカス群とするインナーフォーカス方式では、合焦時に移動するレンズ群の総重量を低減することが可能である。また、第２レンズ群内の最も物体側のレンズを、物体側に凸面を向けた形状とすることにより、合焦領域全体にわたってコマ収差を補正することができる。さらに、第２レンズ群内の最も像側に、像側に凸面を向けた正メニスカスレンズを配置することにより、特に軸外像高のコマ収差の補正を効果的に行うことができる。
【００２２】
条件式（１）は、全系の焦点距離に対する第１レンズ群の焦点距離の比を規定するものである。条件式（１）の上限を上回ると、第１レンズ群のパワーが弱くなり、第２レンズ群のパワーが強くなるため、軸外像高における非点収差が増大する。また、第２レンズ群の重量が増大する。条件式（１）の下限を下回ると、第１レンズ群のパワーが強くなり、第２レンズ群に入射する軸上光束の入射高さが低くなるため、球面収差やコマ収差の補正が困難となる。
【００２３】
例えば、特許文献２に記載のレンズ系では、条件式（１）の対応値が条件式（１）の下限を下回っている。このように第１レンズ群と第２レンズ群のパワー配置に差異があると、上述したように第２レンズ群に入射する光束の入射高さが低くなる。したがって、球面収差やコマ収差を補正するために、第２レンズ群内に強い負パワーの面と正パワーの面を配置する必要が生じ、その結果、第２レンズ群の重量増大を招くことになる。
【００２４】
条件式（２）は、全系の焦点距離に対する第２レンズ群の焦点距離の比を規定するものである。条件式（２）の上限を上回ると、第２レンズ群のパワーが弱くなり、合焦時の第２レンズ群の移動量が増大することにより、無限時と近接時の軸外光束入射高さの変動に伴う像面湾曲変化が大きくなる。条件式（２）の下限を下回ると、第２レンズ群のパワーが強くなり、軸外像高における非点収差が増大する。
【００２５】
条件式（３）は、第１レンズ群の後側主点位置を規定するものである。条件式（３）の上限を上回ると、第１レンズ群の結像位置が像面側になりすぎ、第２レンズ群に入射する軸上光束の入射高さが低くなるため、球面収差やコマ収差の補正が困難となる。条件式（３）の下限を下回ると、第１レンズ群の結像位置が物体側になりすぎ、第２レンズ群のパワーが弱くなるため、大口径化を達成する上で不利になる。
【００２６】
例えば、特許文献１に記載のレンズ系では、条件式（３）の対応値が条件式（３）の上限を上回っている。つまり、特許文献１に記載のレンズ系は、後側主点位置が像面側に近い設定となっているため、先に説明した収差性能上の問題があるだけでなく、第１レンズ群と第２レンズ群との間隔をより大きくする必要があるため全長の増大につながっている。
【００２７】
上記特徴的構成によると、物体側から順に正正の第１，第２レンズ群を有し、無限遠から近距離への合焦時には第２レンズ群を物体側に移動させるインナーフォーカス方式の撮像光学系において、フォーカス群の軽量化等に有効な条件が適切に設定された構成になっているため、大口径であってフォーカス群が軽量化されているにもかかわらず、小型で高性能な撮像光学系及び撮像光学装置を実現することができる。例えば、フォーカス時の性能変動が抑制された大口径の標準レンズであって、フォーカス群の軽量化により効果的なコントラストＡＦへの対応が可能な撮像光学系を達成することができる。
【００２８】
上記高性能・高機能な撮像光学系又は撮像光学装置をデジタルカメラ等のデジタル機器に用いれば、デジタル機器に対して高性能の画像入力機能を軽量・コンパクトに付加することが可能となり、デジタル機器のコンパクト化，低コスト化，高性能化，高機能化等に寄与することができる。また、本発明に係る撮像光学系は、ミラーレスタイプのレンズ交換式デジタルカメラ用の交換レンズとして好適であるため、持ち運びに便利な軽量・小型の交換レンズを実現することができる。こういった効果をバランス良く得るとともに、更に高い光学性能，軽量・小型化等を達成するための条件等を以下に説明する。
【００２９】
前記第２レンズ群内の最も物体側のレンズは正のパワーを有することが望ましい。第２レンズ群内の最も物体側に正レンズを配置することは、軸外光束を収束させることを可能とするため、像面湾曲の補正に効果的である。また、第２レンズ群のレンズ径の拡大を防ぐことができるため、第２レンズ群の軽量化にも効果がある。
【００３０】
以下の条件式（４）を満足することが望ましい。
０．７＜２Ｇｒ＿Ｒ＿Ｆｌ／２Ｇｒ＿Ｆｌ＜２．５  …（４）
ただし、
２Ｇｒ＿Ｒ＿Ｆｌ：第２レンズ群内の最も像側に配置された正レンズの焦点距離、
である。
【００３１】
条件式（４）は、第２レンズ群全体の焦点距離と、第２レンズ群内の最も像側に配置されたレンズの焦点距離と、の比を規定するものであり、収差性能上好ましい条件範囲を規定している。条件式（４）の上限を上回ると、第２レンズ群内の最も像側に配置された正レンズのパワーが弱くなることにより、像面湾曲が増大する。条件式（４）の下限を下回ると、第２レンズ群内の最も像側に配置された正レンズのパワーが強くなりすぎ、周辺部におけるコマ収差が増大する。また、条件式（４）の下限を上回るようにすれば、第２レンズ群内の最像側に配置されたレンズの有効径の拡大を抑えることができるため、軽量なフォーカス群を実現する上でも有効である。したがって、条件式（４）を満たすことにより、大口径比を有し、かつ、フォーカス群が軽量化されているにもかかわらず、無限遠合焦時から近距離合焦時にわたって良好な光学性能を得ることができる。
【００３２】
前記第２レンズ群内の最も像側に配置された正レンズは非球面形状を有することが望ましい。第２レンズ群内の最も像側に配置された正レンズでは、軸上光束と軸外光束の入射高さの差が大きいため、非球面形状とすることにより、各像高の像面湾曲を効果的に補正することができる。また、上記正レンズの物体側面の非球面形状を、光軸位置から周辺部に行くにつれて局所的な曲率が負方向に変化する形状にすると、像面湾曲の補正に一層効果的である。
【００３３】
前記第１レンズ群内に絞りを有することが望ましい。絞りを第１レンズ群内に配置することは、第１レンズ群内で発生するコマ収差の抑制を可能とするため、合焦時の収差変動の抑制に効果的である。さらに、第１レンズ群内においては、絞りを挟んで凹面が向かい合う形状とすることが望ましい。絞りを挟んで凹面が向かい合う構成とすることにより、コマ収差をより一層抑制することが可能となる。
【００３４】
前記第１レンズ群内の最も像側に配置されたレンズが、像面に対して凸面を向けていることが望ましい。第１レンズ群内の最も像側のレンズ面を像面に対して凸の形状とすることは、第１レンズ群を射出する光束に収束作用を与えることを可能とするため、特に球面収差を補正する上で有効である。
【００３５】
以下の条件式（５）を満足することが望ましい。
Ｗ＿２Ｇｒ＜２５  …（５）
ただし、
Ｗ＿２Ｇｒ：第２レンズ群を構成するレンズ要素の合計重量（ｇ）、
である。
【００３６】
条件式（５）は、第２レンズ群を構成するレンズ要素の合計重量を規定するものであり、フォーカス群の軽量化とフォーカス時の性能変動の抑制とのバランスの観点から好ましい条件範囲を規定している。条件式（５）を満たせばフォーカス群の軽量化により高速な合焦を実現することが可能となるが、フォーカス群を軽量化するためにも、先に説明した条件式（２）を満たすことは効果的な条件設定と言える。フォーカス群である第２レンズ群の前に、正のパワーを有する第１レンズ群を配置することにより、フォーカス群に対して収束光を入射させることができる。このため、フォーカス群の有効径の拡大を防ぎ、フォーカス群の軽量化を図ることができる。条件式（２）の下限を下回ると、第２レンズ群のパワーが強くなり、第２レンズ群を構成するレンズを高屈折材料で構成する必要が生じるため、フォーカス群の重量増を招くことになる。また、第２レンズ群の上限を上回ると、第２レンズ群のパワーが弱くなり、特に第２レンズ群内の最像側に配置されるレンズの有効径が拡大するため、フォーカス群の重量増を招くことになる。したがって、条件式（２）とともに条件式（５）を満たすことが、フォーカス群の軽量化とフォーカス性能の向上とを両立させる上で好ましい。
【００３７】
撮像素子の撮像面上に被写体の光学像を形成するための撮像光学系であって、前記撮像面の画面サイズの対角線長が２ｙ＿ｍａｘであり、以下の条件式（４）を満足することが望ましい。
２０＜ａｒｃｔａｎ（ｙ＿ｍａｘ／ＦＬ）＜２５  …（６）
ただし、
ｙ＿ｍａｘ：最大像高、
ＦＬ：全系の焦点距離、
である。
【００３８】
条件式（６）は、本発明に係る撮像光学系の画角を定義するものであり、フォーカス群の軽量化とフォーカス時の性能変動の抑制とのバランスの観点から好ましい条件範囲を規定している。条件式（６）を満たすことにより、いわゆる標準レンズの画角を満足することができる。そして、この条件式（６）の範囲の画角の撮像光学系において、前記条件式（１），（２）を満たすことにより、フォーカス群の軽量化とフォーカス性能の向上との両立を最も効果的に達成することが可能となる。
【００３９】
本発明に係る撮像光学系は、画像入力機能付きデジタル機器（例えば、デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像光学系と、その撮像光学系により形成された光学像を電気的な信号に変換する撮像素子と、を備えることにより構成される。そして、撮像素子の受光面（すなわち撮像面）上に被写体の光学像が形成されるように、前述した特徴的構成を有する撮像光学系が配置されることにより、小型・低コストで高い性能を有する撮像光学装置やそれを備えたデジタル機器を実現することができる。
【００４０】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００４１】
図２９に、画像入力機能付きデジタル機器の一例として、デジタル機器ＤＵの概略構成例を模式的断面で示す。図２９に示すデジタル機器ＤＵに搭載されている撮像光学装置ＬＵは、物体（すなわち被写体）側から順に、物体の光学像（像面）ＩＭを形成する撮像光学系ＬＮ（ＡＸ：光軸）と、撮像光学系ＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００４２】
撮像光学系ＬＮは、正正の２群を物体側に含む２群以上で構成された標準レンズであり、第２レンズ群全体を光軸ＡＸに沿って物体側に移動させることにより近距離物体へのフォーカシングを行い、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像光学系ＬＮは、撮像素子ＳＲの光電変換部である受光面ＳＳ上に被写体の光学像ＩＭが形成されるように設けられているので、撮像光学系ＬＮによって形成された光学像ＩＭは、撮像素子ＳＲによって電気的な信号に変換される。
【００４３】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００４４】
次に、撮像光学系ＬＮの第１〜第７の実施の形態を挙げて、その具体的な光学構成を更に詳しく説明する。図１〜図７は、第１〜第７の実施の形態を構成する撮像光学系ＬＮにそれぞれ対応するレンズ構成図であり、第１フォーカスポジションＰＯＳ１（被写体無限遠状態）でのレンズ配置を光学断面で示している。フォーカシング時には、第２レンズ群Ｇｒ２が光軸ＡＸに沿って移動する。つまり、第２レンズ群Ｇｒ２はフォーカス群であり、矢印ｍＦで示すように、近距離物体へのフォーカシングにおいて物体側へ移動する。
【００４５】
第１の実施の形態の撮像光学系ＬＮ（図１）は、正正の２群構成になっており、各群は以下のように構成されている。第１レンズ群Ｇｒ１は、物体側から順に、物面側に凸の正メニスカスレンズＬ１１と、物面側に凸の負メニスカスレンズＬ１２と、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、物面側に凸の正メニスカスレンズＬ２１と、両凹レンズＬ２２と、像面側に凸の正メニスカスレンズＬ２３と、で構成されている。
【００４６】
第２の実施の形態の撮像光学系ＬＮ（図２）は、正正の２群構成になっており、各群は以下のように構成されている。第１レンズ群Ｇｒ１は、物体側から順に、物面側に凸の正メニスカスレンズＬ１１及び物面側に凸の負メニスカスレンズＬ１２からなる接合レンズと、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、物面側に凸の正メニスカスレンズＬ２１と、像面側に凹の負メニスカスレンズＬ２２と、像面側に凸の正メニスカスレンズＬ２３と、で構成されている。
【００４７】
第３の実施の形態の撮像光学系ＬＮ（図３）は、正正の２群構成になっており、各群は以下のように構成されている。第１レンズ群Ｇｒ１は、物体側から順に、物面側に凸の正メニスカスレンズＬ１１及び物面側に凸の負メニスカスレンズＬ１２からなる接合レンズと、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、物面側に凸の正メニスカスレンズＬ２１と、像面側に凹の負メニスカスレンズＬ２２と、像面側に凸の正メニスカスレンズＬ２３と、で構成されている。
【００４８】
第４の実施の形態の撮像光学系ＬＮ（図４）は、正正の２群構成になっており、各群は以下のように構成されている。第１レンズ群Ｇｒ１は、物体側から順に、物面側に凸の正メニスカスレンズＬ１１及び物面側に凸の負メニスカスレンズＬ１２からなる接合レンズと、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、物面側に凸の正メニスカスレンズＬ２１と、像面側に凹の負メニスカスレンズＬ２２と、像面側に凸の正メニスカスレンズＬ２３と、で構成されている。
【００４９】
第５の実施の形態の撮像光学系ＬＮ（図５）は、正正の２群構成になっており、各群は以下のように構成されている。第１レンズ群Ｇｒ１は、物体側から順に、物面側に凸の正メニスカスレンズＬ１１及び物面側に凸の負メニスカスレンズＬ１２からなる接合レンズと、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、両凸の正レンズＬ２１及び両凹の負レンズＬ２２からなる接合レンズと、像面側に凸の正メニスカスレンズＬ２３と、で構成されている。
【００５０】
第６の実施の形態の撮像光学系ＬＮ（図６）は、正正の２群構成になっており、各群は以下のように構成されている。第１レンズ群Ｇｒ１は、物体側から順に、物面側に凸の正メニスカスレンズＬ１１及び物面側に凸の負メニスカスレンズＬ１２からなる接合レンズと、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、物面側に凸の正メニスカスレンズＬ２１及び像面側に凹の負メニスカスレンズＬ２２からなる接合レンズと、像面側に凸の正メニスカスレンズＬ２３と、で構成されている。
【００５１】
第７の実施の形態の撮像光学系ＬＮ（図７）は、正正負の３群構成になっており、各群は以下のように構成されている。第１レンズ群Ｇｒ１は、物体側から順に、物面側に凸の正メニスカスレンズＬ１１及び物面側に凸の負メニスカスレンズＬ１２からなる接合レンズと、両凸の正レンズＬ１３及び両凹の負レンズＬ１４からなる接合レンズと、絞りＳＴと、両凹の負レンズＬ１５及び両凸の正レンズＬ１６からなる接合レンズと、で構成されている。第２レンズ群Ｇｒ２は、物面側に凸の正メニスカスレンズＬ２１と、像面側に凸の正メニスカスレンズＬ２２と、で構成されている。第３レンズ群Ｇｒ３は、像面側に凹の負メニスカスレンズＬ３１で構成されている。
【００５２】
各実施の形態の撮像光学系ＬＮでは、第２レンズ群Ｇｒ２内の最も物体側のレンズＬ２１が物体側に凸面を向けており、第２レンズ群Ｇｒ２内の最も像側のレンズＬ２３（図１〜図６）又はレンズＬ２２（図７）は像側に凸面を向けた正メニスカスレンズである。第２レンズ群Ｇｒ２内の最も物体側のレンズＬ２１は正のパワーを有しており、第２レンズ群Ｇｒ２内の最も像側に配置された正レンズＬ２３（図１〜図６）又は正レンズＬ２２（図７）は非球面形状を有している。第１レンズ群Ｇｒ１内には絞りＳＴが配置されており、第１レンズ群Ｇｒ１内の最も像側に配置されたレンズＬ１６は、像面ＩＭに対して凸面を向けている。なお、撮像光学系ＬＮと像面ＩＭとの間には平行平面板ＰＴが配置されており、この平行平面板ＰＴは、撮像素子ＳＲのカバーガラスとモアレ防止用のローパスフィルターとのトータルの光学厚みに等価なガラス平板である。
【００５３】
絞りＳＴに対して凹面を向けた接合レンズを、絞りＳＴを挟んで対称に配置することにより、コマ収差を良好に補正することが可能となる。例えば第１〜第３の実施の形態では、第２レンズ群Ｇｒ２内の２枚の正レンズがいずれも非球面レンズとなっているが、第２レンズ群Ｇｒ２に非球面レンズを用いることにより、合焦に伴う収差変動を抑制することが可能となる。さらに、フォーカス群である第２レンズ群Ｇｒ２内に負レンズを有することにより、フォーカス群内で発生するコマ収差を低減することができ、無限から近距離にわたって良好なフォーカス性能を実現することができる。また、第２レンズ群Ｇｒ２中の負レンズが像面ＩＭに対して凹面を向けた構成とすることにより、コマ収差低減効果をより一層高めることができる。
【実施例】
【００５４】
以下、本発明を実施した撮像光学系の構成等を、実施例のコンストラクションデータ等を挙げて更に具体的に説明する。ここで挙げる実施例１〜７（ＥＸ１〜７）は、前述した第１〜第７の実施の形態にそれぞれ対応する数値実施例であり、第１〜第７の実施の形態を表すレンズ構成図（図１〜図７）は、対応する実施例１〜７の光学構成をそれぞれ示している。
【００５５】
各実施例のコンストラクションデータでは、面データとして、左側の欄から順に、面番号ｉ（ＯＢ：物面，ＳＴ：絞り面，ＩＭ：像面），曲率半径ｒ（ｍｍ），軸上面間隔ｄ（ｍｍ），ｄ線（波長５８７．５６ｎｍ）に関する屈折率ｎｄ，ｄ線に関するアッベ数ｖｄ，及び有効半径Ｒ（ｍｍ）を示す。面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００５６】
各種データとして、全系の焦点距離ＦＬ（ｍｍ），Ｆナンバー（ＦＮＯ），全画角２ω（°），レンズ全長ＴＬ（レンズ最前面から像面ＩＭまでの距離，ｍｍ）を示す。さらに、フォーカシングにより変化する可変パラメーターとして、絞り径（有効半径Ｒ）と可変軸上面間隔ｄｉ（ｉ：面番号）を、第１フォーカスポジションＰＯＳ１（物体距離：無限遠），第２フォーカスポジションＰＯＳ２（物体距離：３２０ｍｍ）のそれぞれについて示す。また、表１に各実施例の条件式対応値及びその関連データを示す。
【００５７】
図８〜図１４は、実施例１〜実施例７（ＥＸ１〜ＥＸ７）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図８〜図１４中、（Ａ）と（Ｄ）は球面収差図、（Ｂ）と（Ｅ）は非点収差図、（Ｃ）と（Ｆ）は歪曲収差図である。球面収差図は、実線で示すｄ線（波長５８７．５６ｎｍ）に対する球面収差量、一点鎖線で示すＣ線（波長６５６．２８ｎｍ）に対する球面収差量、破線で示すｇ線（波長４３５．８４ｎｍ）に対する球面収差量を、それぞれ近軸像面からの光軸ＡＸ方向のズレ量（単位：ｍｍ）で表しており、縦軸は瞳への入射高さをその最大高さで規格化した値（すなわち相対瞳高さ）を表している。非点収差図において、破線Ｔはｄ線に対するタンジェンシャル像面、実線Ｓはｄ線に対するサジタル像面を、近軸像面からの光軸ＡＸ方向のズレ量（単位：ｍｍ）で表しており、縦軸は像高（ＩＭＧ  ＨＴ，単位：ｍｍ）を表している。歪曲収差図において、横軸はｄ線に対する歪曲（単位：％）を表しており、縦軸は像高（ＩＭＧ  ＨＴ，単位：ｍｍ）を表している。なお、像高ＩＭＧ  ＨＴの最大値は、像面ＩＭにおける最大像高Ｙ’（撮像素子ＳＲの受光面ＳＳの対角長の半分）に相当する。
【００５８】
図１５，図１６；図１７，図１８；図１９，図２０；図２１，図２２；図２３，図２４；図２５，図２６；図２７，図２８は、実施例１〜実施例７（ＥＸ１〜ＥＸ７）にそれぞれ対応する横収差図であり、第１，第２フォーカスポジションＰＯＳ１，ＰＯＳ２における横収差（ｍｍ）を示している。図１５〜図２８のそれぞれにおいて、（Ａ）〜（Ｅ）はタンジェンシャル光束での横収差を示しており、（Ｆ）〜（Ｊ）はサジタル光束での横収差を示している。また、ＲＥＬＡＴＩＶＥ  ＦＩＥＬＤ  ＨＥＩＧＨＴで表されている像高比（半画角ω°）での横収差を、実線で示すｄ線（波長５８７．５６ｎｍ）、一点鎖線で示すＣ線（波長６５６．２８ｎｍ）、破線で示すｇ線（波長４３５．８４ｎｍ）について示している。なお像高比は、像高を最大像高Ｙ’で規格化した相対的な像高である。
【００５９】
実施例１
単位：mm
面データ
i        r        d        nd         vd        R
OB        ∞      可変
1      26.023     3.10    1.92286     20.88    13.800
2      36.965     0.10                         13.254
3      25.381     0.80    1.58144     40.89    12.899
4      15.107     2.76                         11.737
5      20.875     6.21    1.88100     40.14    11.725
6     -61.734     0.80    1.74077     27.76    11.237
7      16.304     3.87                          9.516
8(ST)        ∞       4.60                           可変
9     -18.904     0.80    1.71736     29.50     9.560
10      22.994     7.41    1.88100     40.14    11.307
11     -24.058     可変                         11.592
*12      20.818     4.23    1.80860     40.42    10.200
*13      36.325     4.13                          9.557
14    -326.087     0.90    1.71736     29.50     9.670
15      39.492     3.71                          9.800
*16   -1898.200     4.48    1.74320     49.30    10.712
*17     -26.391     可変                         11.454
18        ∞       1.50    1.51680     64.20    15.000
19        ∞       0.85                         15.000
IM        ∞
【００６０】
非球面データ
i            12            13            16            17
K             0             0             0             0
A4     2.451E-05     5.117E-05    -1.142E-05     4.650E-07
A6    -1.274E-08    -4.816E-08    -2.720E-07    -2.263E-07
A8     8.825E-10     1.826E-09     1.129E-09     9.904E-10
A10     0.000E+00     0.000E+00    -6.579E-12    -5.779E-12
A12     0.000E+00     0.000E+00     0.000E+00     0.000E+00
【００６１】
各種データ
FL       36.0
FNO       1.44
2ω      43.1
TL       72.0
可変パラメーター
物体距離      絞り径     d11     d17
∞   (POS1)    9.451    6.56   15.25
320mm(POS2)    6.917    1.00   20.81
【００６２】
実施例２
単位：mm
面データ
i        r        d        nd         vd        R
OB        ∞      可変
1      25.000     3.20    1.92286     20.88    13.800
2      35.652     0.80    1.54072     47.20    13.155
3      15.628     2.82                         11.684
4      22.565     5.88    1.88100     40.14    11.599
5     -52.994     0.80    1.74077     27.76    11.111
6      20.116     3.29                          9.558
7(ST)        ∞       4.56                           可変
8     -19.414     0.80    1.72825     28.32     9.579
9      25.366     7.00    1.88100     40.14    10.949
10     -24.590     可変                         11.263
*11      19.873     4.43    1.80860     40.42    10.400
*12     169.014     0.20                         10.031
13      86.985     0.90    1.67270     32.17     9.977
14      18.590     8.94                          9.500
*15     -56.772     3.77    1.74320     49.30    10.904
*16     -24.091     可変                         11.700
17        ∞       1.50    1.51680     64.20    14.002
18        ∞       0.85                         14.129
IM        ∞
【００６３】
非球面データ
i            11            12            15            16
K             0             0             0             0
A4     2.143E-06     2.156E-05    -2.017E-05    -4.560E-06
A6     1.112E-08    -2.258E-08    -7.711E-08    -6.286E-08
A8     0.000E+00     0.000E+00    -1.253E-09    -7.531E-10
A10     0.000E+00     0.000E+00     0.000E+00     0.000E+00
A12     0.000E+00     0.000E+00     0.000E+00     0.000E+00
【００６４】
各種データ
FL       34.4
FNO       1.44
2ω      44.7
TL       70.0
可変パラメーター
物体距離      絞り径     d10     d16
∞   (POS1)    9.565    5.99   14.30
320mm(POS2)    6.949    1.00   19.29
【００６５】
実施例３
単位：mm
面データ
i        r        d        nd         vd        R
OB        ∞      可変
1      25.374     3.24    1.92286     20.88    13.800
2      37.384     0.80    1.54072     47.20    13.171
3      15.667     2.85                         11.683
4      22.941     6.11    1.88300     40.81    11.605
5     -44.448     0.80    1.75520     27.53    11.113
6      20.326     3.38                          9.821
7(ST)        ∞       4.73                           可変
8     -19.277     0.80    1.71736     29.50     9.886
9      26.038     7.14    1.88300     40.81    11.454
10     -24.705     可変                         11.726
*11      22.002     3.69    1.80860     40.42    10.400
*12      81.929     2.19                         10.066
13     115.042     0.90    1.68893     31.16     9.749
14      23.390     7.52                          9.500
*15    -201.941     3.92    1.74320     49.30    11.036
*16     -30.031     可変                         11.738
17        ∞       1.50    1.51680     64.20    15.000
18        ∞       0.86                         15.000
IM        ∞
【００６６】
非球面データ
i            11            12            15            16
K             0             0             0             0
A4     6.747E-06     2.047E-05    -1.828E-05    -6.233E-06
A6     9.750E-09    -1.855E-08    -8.421E-08    -6.805E-08
A8     0.000E+00     0.000E+00    -9.906E-10    -6.513E-10
A10     0.000E+00     0.000E+00     0.000E+00     0.000E+00
A12     0.000E+00     0.000E+00     0.000E+00     0.000E+00
【００６７】
各種データ
FL       35.5
FNO       1.44
2ω      43.6
TL       72.0
可変パラメーター
物体距離      絞り径     d10     d16
∞   (POS1)    9.840    6.35   15.25
320mm(POS2)    7.163    1.00   20.60
【００６８】
実施例４
単位：mm
面データ
i        r        d        nd         vd        R
OB        ∞      可変
1      25.630     3.77    1.92286     20.88    13.800
2      48.443     0.80    1.54072     47.20    13.171
3      14.743     3.57                         11.316
4      24.377     6.72    1.88100     40.14    11.203
5     -26.936     0.80    1.78472     25.72    10.677
6      20.991     3.09                          9.389
7(ST)        ∞       4.72                           可変
8     -18.097     0.80    1.68893     31.16     9.544
9      23.482     7.48    1.83481     42.72    11.306
10     -23.619     可変                         11.607
11      20.976     3.28    1.72916     54.67    10.400
12      39.868     1.85                         10.114
13      14.109     0.90    1.49700     81.61     9.803
14      13.068     8.61                          9.500
*15   -1389.170     2.22    1.74320     49.30    10.347
*16     -57.162     可変                         10.760
17        ∞       1.50    1.51680     64.20    15.000
18        ∞       0.84                         15.000
IM        ∞
【００６９】
非球面データ
i            15            16
K             0             0
A4    -5.591E-05    -3.077E-05
A6    -1.794E-07    -1.754E-07
A8    -1.983E-09    -9.301E-10
A10     1.888E-11     1.261E-11
A12     0.000E+00     0.000E+00
【００７０】
各種データ
FL       34.4
FNO       1.44
2ω      44.9
TL       72.0
可変パラメーター
物体距離      絞り径     d10     d16
∞   (POS1)    9.437    5.83   15.25
320mm(POS2)    6.899    1.00   20.08
【００７１】
実施例５
単位：mm
面データ
i        r        d        nd         vd        R
OB        ∞      可変
1      25.000     3.42    1.92286     20.88    13.800
2      38.852     0.80    1.54072     47.20    13.157
3      14.821     3.23                         11.476
4      23.135     6.09    1.88100     40.14    11.407
5     -41.117     0.80    1.75520     27.53    10.924
6      20.433     3.22                          9.597
7(ST)        ∞       4.57                           可変
8     -19.457     0.80    1.72825     28.32     9.745
9      24.147     7.32    1.88100     40.14    11.415
10     -23.734     可変                         11.676
11      19.159     6.46    1.72916     54.67    10.400
12     -97.807     1.00    1.74320     49.30     9.982
*13      21.886     6.81                          9.500
*14     -54.685     3.84    1.74320     49.30    10.158
*15     -23.410     可変                         11.222
16        ∞       1.50    1.51680     64.20    15.000
17        ∞       0.86                         15.000
IM        ∞
【００７２】
非球面データ
i            13            14            15
K             0             0             0
A4     1.815E-05    -4.464E-05    -2.129E-05
A6    -1.089E-08    -6.933E-07    -4.329E-07
A8     0.000E+00     4.553E-09     2.071E-09
A10     0.000E+00    -4.799E-11    -1.828E-11
A12     0.000E+00     0.000E+00     0.000E+00
【００７３】
各種データ
FL       34.4
FNO       1.44
2ω      44.9
TL       72.0
可変パラメーター
物体距離      絞り径     d10     d15
∞   (POS1)    9.641    6.08   15.25
320mm(POS2)    7.006    1.00   20.33
【００７４】
実施例６
単位：mm
面データ
i        r        d        nd         vd        R
OB        ∞      可変
1      29.514     4.05    1.92286     20.88    13.800
2      90.716     0.80    1.54072     47.20    13.155
3      15.067     2.82                         10.982
4      22.457     6.30    1.88100     40.14    10.800
5     -29.085     0.80    1.78472     25.72    10.395
6      20.699     3.10                          9.387
7(ST)        ∞       4.47                           可変
8     -19.656     0.80    1.72825     28.32     9.470
9      21.234     7.22    1.88100     40.14    10.986
10     -26.614     可変                         11.254
11      23.808     4.09    1.88100     40.14    10.400
12     132.604     1.00    1.64769     33.84     9.980
13      26.086     9.92                          9.500
*14    -204.920     3.29    1.80860     40.42    10.916
*15     -36.502     可変                         11.814
16        ∞       1.50    1.51680     64.20    15.000
17        ∞       0.84                         15.000
IM        ∞
【００７５】
非球面データ
i            14            15
K             0             0
A4    -6.743E-05    -4.356E-05
A6    -4.001E-07    -3.231E-07
A8     2.600E-10     5.196E-10
A10    -1.365E-11    -6.835E-12
A12     0.000E+00     0.000E+00
【００７６】
各種データ
FL       34.4
FNO       1.44
2ω      44.9
TL       72.0
可変パラメーター
物体距離      絞り径     d10     d15
∞   (POS1)    9.411    5.78   15.25
320mm(POS2)    6.868    1.00   20.03
【００７７】
実施例７
単位：mm
面データ
i        r        d        nd         vd        R
OB        ∞      可変
1      25.000     3.90    1.92286     20.88    13.500
2      52.552     0.80    1.58144     40.89    12.885
3      14.862     3.08                         11.084
4      23.099     6.33    1.88100     40.14    11.032
5     -35.353     0.80    1.80518     25.46    10.714
6      20.520     3.77                          9.761
7(ST)        ∞       4.77                           可変
8     -19.571     0.80    1.72825     28.32    10.025
9      24.189     7.94    1.88100     40.14    11.960
10     -23.952     可変                         12.247
*11      19.226     3.57    1.80860     40.42    10.800
*12      24.467    11.31                         10.128
*13    -141.247     3.67    1.74320     49.30    10.800
*14     -29.627     可変                         11.415
15     691.825     0.80    1.84666     23.78    11.937
16     126.000    14.82                         11.972
17        ∞       1.50    1.51680     64.20    15.000
18        ∞       0.80                         15.000
IM        ∞
【００７８】
非球面データ
i            11            12            13            14
K             0             0             0             0
A4     1.730E-05     3.623E-05    -2.391E-05    -6.439E-06
A6    -2.279E-08    -4.500E-08    -2.384E-07    -1.917E-07
A8     7.164E-10     1.460E-09     1.462E-10     1.485E-10
A10     0.000E+00     0.000E+00     0.000E+00     0.000E+00
A12     0.000E+00     0.000E+00     0.000E+00     0.000E+00
【００７９】
各種データ
FL       36.0
FNO       1.44
2ω      43.1
TL       75.0
可変パラメーター
物体距離      絞り径     d10     d14
∞   (POS1)    9.865    5.35    1.00
320mm(POS2)    7.177    1.00    5.35
【００８０】
【表１】
2015210413.tif 000003
【符号の説明】
【００８１】
ＤＵ    デジタル機器
ＬＵ    撮像光学装置
ＬＮ    撮像光学系
Ｇｒ１    第１レンズ群
Ｇｒ２    第２レンズ群
Ｇｒ３    第３レンズ群
ＳＴ    絞り面（絞り）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
2015210413.tif 000004
【図２】
2015210413.tif 000005
【図３】
2015210413.tif 000006
【図４】
2015210413.tif 000007
【図５】
2015210413.tif 000008
【図６】
2015210413.tif 000009
【図７】
2015210413.tif 000010
【図８】
2015210413.tif 000011
【図９】
2015210413.tif 000012
【図１０】
2015210413.tif 000013
【図１１】
2015210413.tif 000014
【図１２】
2015210413.tif 000015
【図１３】
2015210413.tif 000016
【図１４】
2015210413.tif 000017
【図１５】
2015210413.tif 000018
【図１６】
2015210413.tif 000019
【図１７】
2015210413.tif 000020
【図１８】
2015210413.tif 000021
【図１９】
2015210413.tif 000022
【図２０】
2015210413.tif 000023
【図２１】
2015210413.tif 000024
【図２２】
2015210413.tif 000025
【図２３】
2015210413.tif 000026
【図２４】
2015210413.tif 000027
【図２５】
2015210413.tif 000028
【図２６】
2015210413.tif 000029
【図２７】
2015210413.tif 000030
【図２８】
2015210413.tif 000031
【図２９】
2015210413.tif 000032